(57)【要約】      （修正有）【課題】使用者が前屈姿勢となった場合でも、ベルトに装着した送風装置の吐出口が衣服の外部に露出し難い送風装置を提供する。【解決手段】本発明の送風装置１は、使用者の腰部に巻かれたベルトに装着される装着部２と、内部に送風機構を有し、装着部にヒンジ部３を介して連結された本体部４と、本体部４の一端側に連結された筒状のノズル部５と、を備え、本体部４は、本体部４における装着部の逆側の外面から外側に突出し、ノズル部及び本体部を上衣で覆った状態で上衣の内面に引っ掛かる係合突起８を有することを特徴とする。【選択図】図１
2017166344.tif 000002
【特許請求の範囲】
【請求項１】
使用者の腰部に巻かれたベルトに装着される装着部と、
内部に送風機構を有し、前記装着部にヒンジ部を介して連結された本体部と、
前記本体部の一端側に連結された筒状のノズル部と、を備え、
前記本体部は、該本体部における前記装着部の逆側の外面から外側に突出し、前記ノズル部及び前記本体部を上衣で覆った状態で該上衣の内面に引っ掛かる係合突起を有することを特徴とする送風装置。
【請求項２】
前記ノズル部は、前記装着部側の軸線方向の長さが長く、前記係合突起側の前記軸線方向の長さが短くなるように、該ノズル部の先端面が前記軸線方向に垂直な平面に対して傾斜している、請求項１に記載の送風装置。
【発明の詳細な説明】
【技術分野】
【０００１】
本発明は、ベルト等に装着して上衣で覆い、当該上衣内に空気を送り込むことで暑さを軽減する携帯型の送風装置に関する。
【背景技術】
【０００２】
従来、使用者のズボンの腰部に巻かれたベルト等に装着するための装着手段を備え、送風機構から送出される空気の吐出口を衣服（上衣）で覆い、該上衣内に空気を送出することで、汗が蒸発する際の気化熱を利用して暑さを和らげる送風装置が知られている（特許文献１参照）。
【先行技術文献】
【特許文献】
【０００３】
【特許文献１】実用新案登録第３１９９１４３号公報
【発明の概要】
【発明が解決しようとする課題】
【０００４】
しかしながら、特許文献１に記載の送風装置にあっては、当該送風装置をベルトに装着して上衣で吐出口を覆った状態で、使用者が上体を倒した前屈姿勢となる場合に、上衣の裾が上方にまくれ上がって、吐出口が衣服の外側に露出してしまう虞があり、その度に吹出し口を上衣の内側に戻さなければならなかった。
【０００５】
それゆえ本発明は、使用者が前屈姿勢となった場合でも、ベルトに装着した送風装置の吐出口が衣服の外部に露出し難い送風装置を提供することを目的とする。
【課題を解決するための手段】
【０００６】
本発明は、上記課題を解決するためになされたものであり、本発明の送風装置は、使用者の腰部に巻かれたベルトに装着される装着部と、
内部に送風機構を有し、前記装着部にヒンジ部を介して連結された本体部と、
前記本体部の一端側に連結された筒状のノズル部と、を備え、
前記本体部は、該本体部における前記装着部の逆側の外面から外側に突出し、前記ノズル部及び前記本体部を上衣で覆った状態で該上衣の内面に引っ掛かる係合突起を有することを特徴とする。
【０００７】
なお、本発明の送風装置にあっては、前記係合突起は、前記本体部の中心軸線に対して略垂直な方向に延在する平板形状であることが好ましい。
【０００８】
また、本発明の送風装置にあっては、前記係合突起は、前記中心軸線に沿う軸線方向から見て、前記本体部側から先端に向けて先細りとなる台形状であることが好ましい。
【０００９】
また、本発明の送風装置にあっては、前記係合突起は、先端側の角部が丸みを帯びた形状であることが好ましい。
【００１０】
また、本発明の送風装置にあっては、前記ノズル部は、前記装着部側の前記軸線方向の長さが長く、前記係合突起側の前記軸線方向の長さが短くなるように、該ノズル部の先端面が前記軸線方向に垂直な平面に対して傾斜していることが好ましい。
【００１１】
また、本発明の送風装置にあっては、前記ノズル部の外面には、該ノズル部の先端側の一部を切り取る際の目安となる環状の目盛表示が設けられていることが好ましい。
【発明の効果】
【００１２】
本発明によれば、使用者が前屈姿勢となった場合でも、ベルトに装着した送風装置の吐出口が衣服の外部に露出し難い送風装置を提供することが可能となる。
【図面の簡単な説明】
【００１３】
【図１】本発明の一実施形態である送風装置の側面図である。
【図２】図１の送風装置の平面図である。
【図３】図１の送風装置をベルトに装着した使用状態を示す図である。
【図４】（ａ）〜（ｆ）は、係合突起の他の例を示す図である。
【図５】（ａ）、（ｂ）は、係合突起のさらに他の例を示す図である。
【発明を実施するための形態】
【００１４】
以下に、図面を参照しつつ、本発明の実施の形態について例示説明する。図１に示す送風装置１は、ベルト等に着脱可能な装着部２と、装着部２にヒンジ部３を介して連結された筒状の本体部４と、本体部４の一端側に連結されたノズル部５とを備える。
【００１５】
装着部２には、使用者の腰部（胴部）に巻かれたベルトＢ（図３参照）を通すための扁平な貫通孔２ａが形成されている。なお、装着部２の構成はこれに限定されず、単に、ベルトＢとズボンとの隙間もしくはズボンの内側の隙間に挿し込む板状部材等としてもよい。また、装着部２は、本体部４に対して着脱可能な構成としてもよい。この場合には、装着部２をベルトＢに装着した状態を維持しながら、本体部４及びノズル部５等を使用者の胴部から取外すことができるので、送風装置１の利便性を高めることができる。
【００１６】
ヒンジ部３は、装着部２と本体部４の間に設けられている。装着部２及び本体部４は、当該ヒンジ部３の回転軸３ａを支点に相対的に揺動変位することができる。ヒンジ部３の回転軸３ａは、装着部２及び本体部４の上方（ノズル部５の吐出口５ａが位置する側）に配置されている。すなわち、ベルトＢに送風装置１を取付けた状態で、ベルトＢの上方に回転軸３ａが位置するように構成されている。これにより、使用者が図３に示すような前屈姿勢になる際に、本体部４及びノズル部５が使用者の上体の動きに合わせてスムーズに揺動変位する。また、ヒンジ部３の回転軸３ａの軸線は、本体部４の中心軸線Ｃに対して垂直な平面上に位置する。
【００１７】
本例において本体部４は円筒状であり、その一端側にノズル部５が連結されており、他端側に外気を吸い込むための吸込み口４ａが設けられている。本体部４の吸込み口４ａ側には、中心軸線Ｃに沿って延在する先細り状のカバー体６が設けられている。カバー体６の側面には、周方向に間隔を空けて複数（本例では３つ）のカバー開口６ａが形成されている。当該カバー体６を設けたことにより、吸込み口４ａの後方（図１の下方）にカバー体６に囲まれた空間が形成されるため、衣服等の張り付きによって吸込み口４ａが閉塞されるといった不具合が生じ難くなる。また、カバー開口６ａが周方向に複数形成されているため、例えば、これらのうち何れか１箇所が本体部４を覆う衣服等で塞がれた場合でも、他の方向に位置するカバー開口６ａで吸込み口４ａへの空気の流路を確保することができる。
【００１８】
本体部４の内部には、図２の平面図に示すように、送風機構としての送風ファン７が設けられている。送風ファン７は、回転軸線が中心軸線Ｃに一致するように配置されている。なお、図示は省略するが、送風ファン７は、例えば本体部４内に設けたモータ等により駆動するものとし、モータには、例えば充電池等の電源を接続することができる。なお、電源は本体部４の内部に設けてもよいし、外部に設けてもよい。また、モータと電源の間にオンオフを切り替えるスイッチを接続することにより、モータの駆動及び停止を制御することができる。
【００１９】
本体部４には、本体部４における装着部２の逆側の外面から径方向外側に突出する係合突起８が設けられている。本例において係合突起８は、中心軸線Ｃに対して略垂直方向に延在する平板形状となっている。なお、係合突起８の形状は特に限定されるものではなく、例えば円柱状や多角柱状等でもよい。また、係合突起８の延在方向は、全体として径方向外側に向かっていればよく、例えば、中心軸線Ｃに垂直な平面に対して、係合突起８の先端８ａ側が下方に位置するように傾斜していてもよい。本例の係合突起８は、図２に示すように、中心軸線Ｃに沿う軸線方向から見て、本体部４側から先端８ａに向けて先細りとなる台形状である。また、先端８ａ側の一対の角部８ｂは、丸みを帯びた形状となっており、これにより、上衣Ｊ（図３参照）の内面に引っ掛けた場合でも当該上衣Ｊを傷付けることがない。
【００２０】
ノズル部５は、吐出口５ａの逆側の端部が本体部４への連結部５ｂとなっており、その連結部５ｂは本体部４を外周側から取り囲む円筒形状となっている。また、ノズル部５は、円筒状の連結部５ｂから先端の吐出口５ａに向かって、徐々に略矩形状に断面が変わっていくような形状となっている。また、ノズル部５は、本体部４の左右の外面から突出する一対の保持凸部４ｂに係合する保持リング５ｃを有しており、当該保持リング５ｃと保持凸部４ｂとの係合により、ノズル部５が本体部４に対して抜け止め保持される。
【００２１】
本例において、ノズル部５はエラストマ等の軟質材料で形成されている。ノズル部５は、このような軟質材料で形成することで、安定して形状を維持することができる程度の剛性を有しつつも、外力を受けた際には適度に弾性変形して割れや亀裂の発生等を防ぐことができ、またノズル部５の長さ調整のために切断することも容易である。また、ノズル部５は上衣Ｊの内側に配置されて使用者の背中に接触し易いため、軟質材料で形成することで安全性が高まるとともに、身体に接触した際の不快感を軽減することができる。
【００２２】
ノズル部５は、吐出口５ａを構成する先端面５ｄが、中心軸線Ｃに垂直な平面に対して傾斜しており、ノズル部５の形状は、装着部２側の軸線方向の長さが長く、係合突起８側の軸線方向の長さが短くなっている。このような形状とすることで、上衣Ｊと使用者の身体に挟まれて押圧された場合にも吐出口５ａが潰れ難くなり、ノズル部５内の空気の流路が閉鎖されることを防止することができる。また、本例では、ノズル部５の潰れによる空気流路の閉塞をより確実に防止するために、吐出口５ａを構成するノズル部５の先端部の厚みを大きくしている。これにより、所期した風量の空気を吐出口５ａから安定して送出することができる。
【００２３】
ノズル部５の外面には、ノズル部５の先端側の一部を切り取る際の目安となる目盛表示５ｅが設けられている。ノズル部５の先端側を切断して長さを調整することにより、風の吹き出し位置を、体格や好みに応じた位置に設定することが出来る。本例では、目盛表示５ｅはノズル部５の全周にわたって延在する環状の溝で形成されている。目盛表示５ｅを溝としたことで、他の部分に比べて薄肉となり、カッター等で切断し易い構成となっている。また、目盛表示５ｅはノズル部５の先端面５ｄと同様の角度で延在しているため、ノズル部５の長さを短くしても、ノズル部５が潰れ難く、上衣Ｊ内に空気の流れを形成し易い構成となっている。なお、目盛表示５ｅは本例のような溝に限定されるものではなく、例えば突状でもよいし、印刷や塗装等により形成してもよい。また、本例では本体部４及びノズル部５を別部材として形成しているが、一体に形成してもよい。さらに本体部４及びノズル部５は、筒状であればよく、例えば断面が楕円や多角形であってもよい。
【００２４】
本実施形態の送風装置１を使用する際には、使用者の背面側で、ノズル部５の吐出口５ａが上側を向くように、胴部（腰部）に巻かれたベルトＢに装着部２を装着し、上衣Ｊで本体部４及びノズル部５を覆う。この状態で送風ファン７を駆動すると、吸込み口４ａから吸い込まれた外気が、吐出口５ａから上衣Ｊの内部に送り出される。上衣Ｊの内部で使用者の身体に沿って空気が通過すると、身体の汗が気化し易くなり、汗が気化（蒸発）する際の冷却効果で体温の低下を促すことができる。また、汗の気化によって湿度が高くなった上衣Ｊの内部の空気を、外部に排出することにより、上衣Ｊの内部の空間は、常に汗が気化し易い快適な環境となる。
【００２５】
ここで、図３に示すように、使用者が上体を屈めた前屈姿勢となる際には、ヒンジ部３の回転軸３ａを支点に本体部４及びノズル部５が装着部２に対して揺動変位するため、上衣Ｊの動きに本体部４及びノズル部５が追従して動き、上衣Ｊがまくれ上がり難くなる。さらに、上衣Ｊの裾付近において、上衣Ｊの内面に係合突起８が引っ掛かるため、上衣Ｊのまくれ上がりを防止することができる。
【００２６】
このように、本発明の送風装置１にあっては、使用者が前屈姿勢となった場合でも、送風装置１の本体部４及びノズル部５に対して上衣Ｊがまくれ上がることがないため、吐出口５ａの外部への露出を防止することができる。
【００２７】
また、本発明の送風装置１にあっては、図１、２に示すように、係合突起８を平面視で台形状となる平板形状とすることが好ましく、これによれば、上衣Ｊの内面の傷つきを防止しながらも、上衣Ｊに対してしっかりと引っ掛かってまくれ上がりを防止することができる。
【００２８】
なお、係合突起８は任意の形状を採用可能であり、例えば、軸線方向から見て、図４（ａ）に示す長方形状、図４（ｂ）に示す逆台形状、図４（ｃ）に示すひし形状、図４（ｄ）に示す先端８ａがジグザグ状（山型）、図４（ｅ）に示す櫛型、図４（ｆ）に示す三角形状、等とすることができ、それぞれの角部を丸みを帯びた形状としてもよい。なお、図４（ｃ）に示すひし形状の係合突起８は、使用者の背面（背中）の中心から左右にずれた位置に送風装置１を装着する場合などに有効であり、左右の何れか一方（鋭角側）を強く上衣Ｊに引っ掛けて、上衣Ｊのまくれ上がり防止効果を高めることができる。また、図４（ｄ）に示すジグザグ状、及び図４（ｅ）に示す櫛型は、先端８ａが平坦である場合に比べて上衣Ｊのまくれ上がり防止効果を高めることができる。図４（ｆ）に示す三角形状は、頂点の一箇所で強く上衣Ｊの内面に引っ掛けることができる。
【００２９】
また、図５（ａ）に示すように、係合突起８の先端８ａ付近に、滑り止め用のゴムやエラストマ等の軟質材料からなるキャップ９を被せてもよい。これによれば、上衣Ｊの内面との摩擦力が大きくなるため、さらに上衣Ｊがまくれ上がり難くなるとともに、上衣Ｊが傷つき難くなる。なお、キャップ９は二重成形により係合突起８と一体に形成してもよい。
【００３０】
また、図５（ｂ）に示すように、係合突起８の先端８ａに、上衣Ｊを挟み込むための溝８ｃを設けることも可能である。このような構成とすることで、溝８ｃに上衣Ｊを挟み込んで保持することで、上衣Ｊのまくれ上がり防止効果をさらに高めることができる。
【００３１】
以上、図示例に基づき説明したが、本発明は上述の実施形態に限定されるものでなく、特許請求の範囲の記載範囲内で適宜変更することができるものであり、例えば、本体部４の外面に上衣Ｊの裾を挟んで保持するクリップ等を設けて、上衣Ｊのまくれ上がり防止効果を高める構成としてもよい。
【符号の説明】
【００３２】
１  送風装置
２  装着部
２ａ  貫通孔
３  ヒンジ部
３ａ  回転軸
４  本体部
４ａ  吸込み口
４ｂ  保持凸部
５  ノズル部
５ａ  吐出口
５ｂ  連結部分
５ｃ  保持リング
５ｄ  先端面
５ｅ  目盛表示
６  カバー体
６ａ  カバー開口
７  送風ファン（送風機構）
８  係合突起
８ａ  先端
８ｂ  角部
８ｃ  溝
９  キャップ
Ｂ  ベルト
Ｃ  中心軸線
Ｊ  上衣
【図１】
2017166344.tif 000003
【図２】
2017166344.tif 000004
【図３】
2017166344.tif 000005
【図４】
2017166344.tif 000006
【図５】
2017166344.tif 000007